(57)【要約】【課題】キャップ構造の省スペース化且つキャップの抜け落ち防止を実現することを課題とする。【解決手段】電子装置は、キャップにおいて、開口部を閉塞する基体部を有する。また、電子装置は、キャップにおいて、基体部の一部から延長される脚部を有する。また、電子装置は、脚部の径よりも大きい径の面である大径面であって、基体部側とは反対方向の脚部の先端において該脚部と連結する連結領域を含む大径面を有する取付部を有する。また、電子装置は、キャップにおいて、取付部の大径面のうち、連結領域以外の領域から突起する突起部を有する。また、電子装置は、筐体において、該筐体に設けられ、入口部分が狭くなっている孔の該入口部分に配置される、取付部と係合して抜け止めする抜け止め部を有する。また、電子装置は、筐体において、抜け止め部を含み、孔の筐体内の空間に取付部を格納可能な可能部を有する。【選択図】図２
2012059644.tif 000002
【特許請求の範囲】
【請求項１】
筐体に配置された開口部を保護するキャップを有する電子装置であって、
前記キャップは、
前記開口部を閉塞する基体部と、
前記基体部の一部から延長される脚部と、
前記脚部の径よりも大きい径の面である大径面であって、前記基体部側とは反対方向の前記脚部の先端において該脚部と連結する連結領域を含む大径面を有する取付部と、
前記取付部の大径面のうち、前記連結領域以外の領域から突起する突起部とを有し、
前記筐体は、
該筐体に設けられ、入口部分が狭くなっている孔の該入口部分に配置される、前記取付部と係合して抜け止めする抜け止め部と、
前記抜け止め部を含み、前記孔の筐体内の空間に前記取付部を格納可能な格納部と
を有することを特徴とする電子装置。
【請求項２】
前記突起部は、前記筐体から離れる任意の方向に所定の力以上に前記基体部が引っ張られた場合に、前記抜け止め部と接する位置が移動されることで、該基体部も移動させることを特徴とする請求項１に記載の電子装置。
【請求項３】
前記格納部は、複数の前記キャップが前記筐体の複数の開口部それぞれを保護する場合に、前記筐体の任意の面の所定範囲内の部分に配置されることを特徴とする請求項１又は２に記載の電子装置。
【請求項４】
筐体に配置された開口部を保護するキャップであって、
前記開口部を閉塞する基体部と、
前記基体部の一部から延長される脚部と、
前記脚部の径よりも大きい径の面である大径面であって、前記基体部側とは反対方向の前記脚部の先端において該脚部と連結する連結領域を含む大径面を有する取付部と、
前記取付部の大径面のうち、前記連結領域以外の領域から突起する突起部と
を有することを特徴とするキャップ。
【発明の詳細な説明】
【技術分野】
【０００１】
本発明は、電子装置及びキャップに関する。
【背景技術】
【０００２】
従来、携帯電話機等の携帯端末は、該携帯端末の筐体の任意の位置に種々の端子やインタフェース等を有する。例えば、携帯端末は、充電に利用する端子、外部機器とのデータ通信に利用するＵＳＢ（Universal  Serial  Bus）端子、ＨＤＭＩ（High‐Definition  Multimedia  Interface）等の規格で利用される、外部機器と接続するインタフェースを有する。さらに、携帯端末は、メモリカード等の媒体を収納する収納部を有するものもある。
【０００３】
このような端子、インタフェース及び収納部等を有する携帯端末の筐体には、保護の目的や防塵及び防水の目的で、端子、インタフェース及び収納部を覆うキャップが設けられることがある。なお、かかるキャップは、携帯端末だけでなく、各種電子装置の任意の位置にも同様に設けられる。
【０００４】
図６Ａ〜６Ｃ及び図７用いて、従来技術に係る携帯端末のキャップ構造について説明する。図６Ａは、従来技術に係る携帯端末の外観斜視図である。図６Ｂは、図６Ａに示した楕円部分の拡大図である。図６Ｃは、図６Ｂに示したＹ−Ｙ線の断面を示す図である。
【０００５】
例えば、図６Ａ及び図６Ｂに示すように、携帯端末は、ディスプレイ等を有する上部筐体と、操作キー、端子、インタフェース及び収納部等を有する下部筐体とを有する。また、下部筐体には、端子、インタフェース及び収納部等を覆うキャップが取り付けられる。かかるキャップは、図６Ｃの楕円部分に示すように、例えば、下部筐体から容易に外れないように下部筐体の長手方向に取付部が延長された構造となる。また、上記のように、キャップは、防水のための止水用部材を任意の位置に有する。
【０００６】
かかる取付部が延長された構造では、端子、インタフェース及び収納部等が携帯端末に複数搭載される場合に、省スペース化の弊害となる。そこで、最近では、省スペース化を実現するためのキャップ構造がある。
【０００７】
図７を用いて、従来技術に係るキャップ構造の他の例を説明する。図７は、従来技術に係るキャップ構造の例を示す図である。例えば、図７に示すように、キャップは、図６Ｃに示す楕円部分の代替として突起状の取付部を有し、該取付部が筐体に係合される構造を有する。
【先行技術文献】
【特許文献】
【０００８】
【特許文献１】特開２００６−１１４３００号公報
【特許文献２】特開平１１−１６８７８７号公報
【特許文献３】特開２００７−８４６４０号公報
【特許文献４】特開平７−２３５８８１号公報
【発明の概要】
【発明が解決しようとする課題】
【０００９】
しかしながら、従来技術では、キャップ構造の省スペース化且つキャップの抜け落ち防止を実現することができないという課題がある。具体的には、省スペース化のために突起状の取付部を有するキャップの構造では、該取付部が短くなることにより筐体からキャップが抜け落ちてしまう。この結果、従来技術では、キャップ構造を省スペース化するとともに、キャップの抜け落ち防止を実現することができない。
【００１０】
そこで、本願に開示する技術は、上記に鑑みてなされたものであって、キャップ構造の省スペース化且つキャップの抜け落ち防止を実現することが可能である電子装置及びキャップを提供することを目的とする。
【課題を解決するための手段】
【００１１】
上述した課題を解決し、目的を達成するため、本願に開示する電子装置は、筐体に配置された開口部を保護するキャップを有する電子装置であって、前記キャップは、前記開口部を閉塞する基体部と、前記基体部の一部から延長される脚部と、前記脚部の径よりも大きい径の面である大径面であって、前記基体部側とは反対方向の前記脚部の先端において該脚部と連結する連結領域を含む大径面を有する取付部と、前記取付部の大径面のうち、前記連結領域以外の領域から突起する突起部とを有し、前記筐体は、該筐体に設けられ、入口部分が狭くなっている孔の該入口部分に配置される、前記取付部と係合して抜け止めする抜け止め部と、前記抜け止め部を含み、前記孔の筐体内の空間に前記取付部を格納可能な格納部とを有する。
【発明の効果】
【００１２】
本願に開示する電子装置及びキャップの一つの態様は、キャップ構造の省スペース化且つキャップの抜け落ち防止を実現することができるという効果を奏する。
【図面の簡単な説明】
【００１３】
【図１】図１は、本実施例に係る携帯端末のキャップの取り付け位置の例を示す図である。
【図２】図２は、本実施例に係る筐体及びキャップの構造の例を示す図である。
【図３】図３は、本実施例に係る突起部の形状の例を説明する図である。
【図４】図４は、本実施例に係る筐体及びキャップの寸法の例を示す図である。
【図５Ａ】図５Ａは、本実施例に係るキャップを筐体から抜こうとするときのキャップの挙動を説明する図である。
【図５Ｂ】図５Ｂは、本実施例に係るキャップを筐体から抜こうとするときのキャップの挙動を説明する図である。
【図６Ａ】図６Ａは、従来技術に係る携帯端末の外観斜視図である。
【図６Ｂ】図６Ｂは、図６Ａに示した楕円部分の拡大図である。
【図６Ｃ】図６Ｃは、図６Ｂに示したＹ−Ｙ線の断面を示す図である。
【図７】図７は、従来技術に係るキャップ構造の例を示す図である。
【発明を実施するための形態】
【００１４】
以下に添付図面を参照して、本願に開示する電子装置及びキャップの実施例を説明する。なお、以下の実施例により本発明が限定されるものではない。また、以下では、電子装置の一例として、携帯電話機等の携帯端末を例に挙げて説明する。
【実施例】
【００１５】
［キャップの取り付け位置］
図１を用いて、本実施例に係る携帯端末のキャップの取り付け位置を説明する。図１は、本実施例に係る携帯端末のキャップの取り付け位置の例を示す図である。
【００１６】
例えば、図１に示すように、携帯端末１００は、第１筐体１１０と、第２筐体１２０とを有する。かかる第２筐体１２０には、開口部を保護するキャップ１３０及びキャップ１４０が配置される。なお、携帯端末１００は、図１に示す折りたたみ式の携帯端末であっても良いし、スライド式の携帯端末であっても良い。
【００１７】
第１筐体１１０は、例えば、ディスプレイや受話口等を有する。第２筐体１２０は、例えば、各種操作キー、送話口及び電池ケース等を有するとともに、端子、インタフェース及び媒体を収納する収納部等に対応する開口部を少なくとも１つ有する。図１では、開口部は、２つ存在することとして説明する。
【００１８】
キャップ１３０及びキャップ１４０は、例えば、第２筐体１２０に配置された開口部を保護する。また、キャップ１３０及びキャップ１４０は、例えば、図１の楕円部分に示すように、一端が第２筐体１２０の任意の面を共有して配置される。なお、共有する部分は、キャップ１３０及びキャップ１４０それぞれを第２筐体１２０に取り付けるために利用する。
【００１９】
［筐体及びキャップの構造］
次に、図２を用いて、本実施例に係る筐体及びキャップの構造を説明する。図２は、本実施例に係る筐体及びキャップの構造の例を示す図である。なお、図２では、キャップの例として、同様の構造であるキャップ１３０とキャップ１４０とのうち、キャップ１３０を挙げて説明する。
【００２０】
例えば、図２に示すように、第２筐体１２０は、抜け止め部１２２を有する格納部１２１を有する。格納部１２１は、例えば、第２筐体１２０の開口部の近傍に配置され、一端には孔を有する。抜け止め部１２２は、例えば、格納部１２１の一端に設けられた孔付近に配置され、該孔の大きさが格納部１２１内の空間よりも狭くなる構造である。
【００２１】
キャップ１３０は、例えば、基体部１３１と、脚部１３２と、取付部１３３と、突起部１３４とを有し、エラストマ（elastomer）等の弾性部材である。このうち、基体部１３１は、例えば、第２筐体１２０に配置された開口部を閉塞する。脚部１３２は、例えば、基体部１３１の一部から延長され、該脚部１３２の少なくとも一部は格納部１２１に格納可能である。
【００２２】
取付部１３３は、例えば、抜け止め部１２２と係合し、基体部１３１側とは反対方向の脚部１３２の先端に配置され、格納部１２１に格納可能である。また、取付部１３３は、脚部１３２の径よりも大きい径の面である大径面であって、脚部１３２と連結する連結領域を含む大径面を有する。突起部１３４は、例えば、取付部１３３が抜け止め部１２２と接する面の一部に配置され、突起形状を有する。かかる突起部１３４は、一つの態様として、開口部がキャップ１３０で保護される場合に、キャップ１３０によって保護される開口部の方向の、取付部１３３が抜け止め部１２２と接する面の一部に配置される。すなわち、突起部１３４は、取付部１３３の大径面のうち、連結領域以外の領域から突起する。
【００２３】
［突起部の形状］
次に、図３を用いて、本実施例に係る突起部１３４の形状を説明する。図３は、本実施例に係る突起部１３４の形状の例を説明する図である。
【００２４】
例えば、図３に示すように、突起部１３４は、取付部１３３が抜け止め部１２２と接する面の円周方向に対し、略対称の突起形状を有し、該突起形状のうち最も突起している部分から両円周方向に向かって傾斜する。なお、突起部１３４は、図３に示す突起形状でなくても良く、例えば、半球体等の球体の一部や所定数以上の頂点を有する多面体の一部であっても良い。
【００２５】
［筐体及びキャップの寸法］
次に、図４を用いて、本実施例に係る筐体及びキャップの寸法を説明する。図４は、本実施例に係る筐体及びキャップの寸法の例を示す図である。
【００２６】
例えば、図４に示すように、第２筐体１２０の格納部１２１において、キャップ１３０から第１筐体１１０に向かう方向での、孔の入口から、抜け止め部１２２が取付部１３３と接する位置までの寸法は、「０．５ミリメートル」である。また、例えば、第２筐体１２０の格納部において、キャップ１３０から第１筐体１１０に向かう方向での、抜け止め部１２２が取付部１３３と接する位置から、格納部１２１の空間で最も第１筐体１１０寄りとなる位置までの寸法は、「３．６ミリメートル」である。
【００２７】
また、例えば、第２筐体１２０の格納部１２１において、開口部からキャップ１４０に向かう方向での、抜け止め部１２２の寸法は、「０．４５ミリメートル」である。同様に、例えば、第２筐体１２０の格納部１２１において、キャップ１４０から開口部に向かう方向での、抜け止め部１２２の寸法は、「０．４５ミリメートル」である。また、第２筐体１２０の格納部１２１において、開口部からキャップ１４０に向かう方向での、該格納部１２１の空間で幅が最も広い部分の寸法は、「２．５ミリメートル」である。
【００２８】
また、例えば、キャップ１３０の取付部１３３において、開口部からキャップ１４０に向かう方向での、該取付部１３３の幅が最も広い部分の寸法は、「直径２．２ミリメートル」である。また、例えば、キャップ１３０において、開口部からキャップ１４０に向かう方向での、脚部１３２の寸法は、「直径１．２５ミリメートル」である。また、例えば、キャップ１３０の取付部１３３において、キャップ１３０から第１筐体１１０に向かう方向での、抜け止め部１２２が取付部１３３と接する位置から、該取付部１３３で最も第１筐体１１０寄りとなる位置までの寸法は、「１ミリメートル」である。
【００２９】
［キャップの回転］
次に、図５Ａ及び図５Ｂを用いて、本実施例に係るキャップが引っ張られたときのキャップの挙動を説明する。図５Ａ及び図５Ｂは、本実施例に係るキャップが引っ張られたときのキャップの挙動を説明する図である。なお、以下では、キャップ１３０が開口部から離れてキャップ１４０の方向に向かう図２に示す状態から、さらにキャップ１４０の方向に力が加えられて引っ張られるときのキャップの挙動を説明する。
【００３０】
例えば、図２に示す状態から、さらにキャップ１４０の方向に力が加えられて引っ張られる場合に、エラストマである突起部１３４は、最も突起している部分から傾斜する部分へと力が加わる点が移動する。この傾斜する部分へと力が加わる点が移動するとき、キャップ１３０は、任意の一方向に回転し、突起部１３４の元の位置から略１／４回転する場合には図５Ａに示すようになり、略３／４回転する場合には図５Ｂに示すようになる。なお、図５Ｂでは、突起部１３４が図５Ａに示す突起部１３４の位置の反対側に回り込んでいる。また、回転する方向については、図５Ａ及び図５Ｂに示す回転方向とは逆の回転方向である場合もある。すなわち、回転方向は、引っ張られたときの力の加わる点によって変化する。換言すると、突起部１３４は、キャップ１４０が引っ張られた場合に、抜け止め部１２２と接する位置が移動されることで、基体部１３１も移動させることになる。
【００３１】
また、半球体等の球体の一部や所定数以上の頂点を有する多面体の一部を突起部１３４とする場合には、同様にエラストマであることから、外力が加わることで変形し、所定の力が加えられることで、突起部１３４から力の加わる点が離れることになる。すなわち、半球体等の球体の一部や所定数以上の頂点を有する多面体の一部を突起部１３４とする場合には、力の加わる点が突起部１３４から離れることでキャップ１３０が任意の方向に回転することになる。
【００３２】
［実施例による効果］
上述したように、携帯端末１００のキャップ１３０は、該キャップ１３０の一端について、第２筐体１２０の任意の面をキャップ１４０と共有して、該共有した部分を該第２筐体１２０に取り付けるために利用する。また、携帯端末１００のキャップ１３０は、第２筐体１２０の格納部１２１に格納可能な取付部１３３が抜け止め部１２２と接する面の一部に突起部１３４を有する。つまり、キャップ１３０は、取り付けの部分を他のキャップと共有することで、キャップ構造の省スペース化を実現することができる。また、キャップ１３０は、外力により引っ張られた場合に、突起部分から傾斜部分へと力の加わる点が移動して任意の方向に回転することで、キャップが容易に外れるのを防止することができる。
【符号の説明】
【００３３】
１００  携帯端末
１１０  第１筐体
１２０  第２筐体
１２１  格納部
１２２  抜け止め部
１３０  キャップ
１３１  基体部
１３２  脚部
１３３  取付部
１３４  突起部
１４０  キャップ
【図１】
2012059644.tif 000003
【図２】
2012059644.tif 000004
【図３】
2012059644.tif 000005
【図４】
2012059644.tif 000006
【図５Ａ】
2012059644.tif 000007
【図５Ｂ】
2012059644.tif 000008
【図６Ａ】
2012059644.tif 000009
【図６Ｂ】
2012059644.tif 000010
【図６Ｃ】
2012059644.tif 000011
【図７】
2012059644.tif 000012